(57)【要約】  表示装置（１）は、複数の走査信号線を線順次に選択する走査線駆動回路（４）と、データ信号を受信する受信回路を有し、走査線駆動回路（４）が選択した走査信号線（６）に連なる画素にデータ信号を順次供給する信号線駆動回路（３）と、外部から受信した同期信号に基づいて、いずれの走査信号線も選択していない非走査期間を規定するとともに、規定した非走査期間の少なくとも一部の期間において上記受信回路の機能を低下させる動作判別信号を、信号線駆動回路（３）へ送信するタイミングコントローラ（１０）とを備えている。信号線駆動回路（３）とタイミングコントローラ（１０）とは別体として設けられている。
2012137761.tif 000002
【特許請求の範囲】
【請求項１】
複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信した同期信号に基づいて、いずれの走査信号線も選択していない非走査期間を規定するとともに、規定した非走査期間の少なくとも一部の期間において上記受信回路の機能を低下させる休止駆動制御信号を、上記信号線駆動回路へ送信するタイミング制御部とを備え、
上記信号線駆動回路と上記タイミング制御部とは別体として設けられていることを特徴とする表示装置。
【請求項２】
上記信号線駆動回路は複数設けられており、
上記タイミング制御部は、上記休止駆動制御信号を、上記複数の信号線駆動回路が有する受信回路のそれぞれへ同時に送信することを特徴とする請求項１に記載の表示装置。
【請求項３】
上記信号線駆動回路は複数設けられており、上記タイミング制御部は、上記受信回路を、機能が低下した休止状態から復帰させる復帰制御信号を、上記複数の信号線駆動回路が有する受信回路のそれぞれへ個別に送信することを特徴とする請求項１に記載の表示装置。
【請求項４】
上記タイミング制御部は、上記画素に対して上記データ信号が供給される走査期間が開始されるよりも先に、上記受信回路を、機能が低下した休止状態から復帰させる復帰制御信号を上記信号線駆動回路へ送信することを特徴とする請求項１〜３のいずれか１項に記載の表示装置。
【請求項５】
上記信号線駆動回路は、
上記画素に上記データ信号を出力する出力回路と、
上記休止駆動制御信号に基づいて、上記出力回路の機能を低下させる出力回路制御部とを備えることを特徴とする請求項１〜４のいずれか１項に記載の表示装置。
【請求項６】
上記信号線駆動回路は、上記休止駆動制御信号に基づいて、上記走査線駆動回路の機能を低下させる走査線駆動回路制御部を備えることを特徴とする請求項１〜５のいずれか１項に記載の表示装置。
【請求項７】
上記受信回路は、機能が低下した休止状態にあるとき、当該受信回路が休止状態から復帰した動作期間に受信する特定信号の受信を開始するタイミングよりも先に、当該受信回路を休止状態から復帰させる復帰制御信号を上記タイミング制御部から受信することを特徴とする請求項１〜６のいずれか１項に記載の表示装置。
【請求項８】
上記受信回路は、機能が低下した休止状態にあるとき、当該受信回路を休止状態から復帰させる復帰制御信号を上記タイミング制御部から受信するときに、当該受信回路が休止状態から復帰した動作期間に受信する特定信号をＬｏｗレベル固定として受信することを特徴とする請求項１〜６のいずれか１項に記載の表示装置。
【請求項９】
上記特定信号は、クロック信号または上記データ信号、もしくはその両方であることを特徴とする請求項７または８に記載の表示装置。
【請求項１０】
上記受信回路は、機能が低下した休止状態に移行した後の所定の時間内は、クロック信号を継続的に受信することを特徴とする請求項１〜９のいずれか１項に記載の表示装置。
【請求項１１】
上記受信回路は、機能が低下した休止状態に移行した時点を含む所定の時間内において、Ｌｏｗレベル固定として上記データ信号を受信することを特徴とする請求項１〜１０のいずれか１項に記載の表示装置。
【請求項１２】
上記クロック信号または上記データ信号は、差動信号として上記受信回路に入力されることを特徴とする請求項９または１０に記載の表示装置。
【請求項１３】
液晶表示装置であることを特徴とする請求項１〜１２のいずれか１項に記載の表示装置。
【請求項１４】
有機エレクトロルミネセンス表示装置であることを特徴とする請求項１〜１２のいずれか１項に記載の表示装置。
【請求項１５】
複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信したクロック信号および同期信号に基づいて、いずれの走査信号線も選択していない非走査期間を規定するタイミング制御部とを備え、
上記信号線駆動回路と上記タイミング制御部とは別体として設けられている表示装置の駆動方法であって、
上記タイミング制御部において、外部から受信したクロック信号および同期信号に基づいて上記非走査期間を規定する規定工程と、
上記規定工程において規定した非走査期間の少なくとも一部の期間において上記受信回路の機能を低下させる休止駆動制御信号を、上記タイミング制御部が上記信号線駆動回路へ送信する送信工程とを含むことを特徴とする駆動方法。
【発明の詳細な説明】
【技術分野】
【０００１】
本発明は、消費電力を低減できる表示装置およびその駆動方法に関する。
【背景技術】
【０００２】
近年、液晶表示装置に代表される薄型、軽量、および低消費電力の表示装置が盛んに活用されている。こうした表示装置は、例えば携帯電話、スマートフォン、またはラップトップ型パーソナルコンピュータへの搭載が顕著である。また、今後はより薄型の表示装置である電子ペーパーの開発および普及も急速に進むことが期待されている。このような状況の中、現在、各種の表示装置において消費電力を低下させることが共通の課題となっている。【０００３】
例えば、特許文献１には、画面を１回走査する走査期間よりも長い非走査期間であって、全走査信号線を非走査状態とする休止期間を設けることによって、低消費電力を実現する表示装置の駆動方法が開示されている。
【先行技術文献】
【特許文献】
【０００４】
【特許文献１】日本国公開特許公報「特開２００１−３１２２５３号公報（公開日：２００１年１１月９日）」
【発明の概要】
【発明が解決しようとする課題】
【０００５】
一方、中型以上の表示装置では、大型化に伴い、信号線駆動回路（ソースドライバ）と、タイミングコントローラとを別々のチップに搭載し、かつ、信号線駆動回路を複数設ける構成が一般的になっている。ここで、上記信号線駆動回路とは、走査信号線に連なる各画素に対して画像データ（映像データ）を供給する回路である。上記タイミングコントローラとは、クロック信号および同期信号に基づき、表示装置が備える信号線駆動回路などの各回路が同期して動作するための基準となる信号を各回路に対して出力する回路である。【０００６】
信号線駆動回路とタイミングコントローラとが別々のチップに搭載されているため、信号線駆動回路は、タイミングコントローラから画像データ信号を受信する受信回路を備えている。【０００７】
特許文献１に記載の発明は、このような中型以上の表示装置を想定しておらず、特許文献１に記載の技術的思想をそのまま中型以上の表示装置に適用し、低消費電力の中型以上の表示装置を実現することは困難である。【０００８】
本発明は、上記の問題点を解決するためになされたもので、その目的は、タイミングコントローラと信号線駆動回路とが別体として設けられている表示装置であって、消費電力を低減させることができる表示装置を提供することにある。
【課題を解決するための手段】
【０００９】
本発明に係る表示装置は、上記の課題を解決するために、複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信した同期信号に基づいて、いずれの走査信号線も選択していない非走査期間を規定するとともに、規定した非走査期間の少なくとも一部の期間において上記受信回路の機能を低下させる休止駆動制御信号を、上記信号線駆動回路へ送信するタイミング制御部とを備え、
上記信号線駆動回路と上記タイミング制御部とは別体として設けられていることを特徴としている。【００１０】
本発明に係る駆動方法は、上記の課題を解決するために、複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信したクロック信号および同期信号に基づいて、いずれの走査信号線も選択していない非走査期間を規定するタイミング制御部とを備え、
上記信号線駆動回路と上記タイミング制御部とは別体として設けられている表示装置の駆動方法であって、
上記タイミング制御部において、外部から受信したクロック信号および同期信号に基づいて上記非走査期間を規定する規定工程と、
上記規定工程において規定した非走査期間の少なくとも一部の期間において上記受信回路の機能を低下させる休止駆動制御信号を、上記タイミング制御部が上記信号線駆動回路へ送信する送信工程とを含むことを特徴としている。【００１１】
上記の構成によれば、信号線駆動回路は、データ信号を受信する受信回路を有している。信号線駆動回路が受信回路を有しているのは、信号線駆動回路がタイミング制御部とは別体として設けられているからである。【００１２】
タイミング制御部は、外部から受信したクロック信号および同期信号に基づいて非走査期間を規定する。非走査期間とは、いずれの走査信号線も選択していない期間である。そして、タイミング制御部は、規定した非走査期間の少なくとも一部の期間において信号線駆動回路が有する受信回路の機能を低下させる休止駆動制御信号を、当該信号線駆動回路へ送信する。【００１３】
それゆえ、上記信号線駆動回路と上記タイミング制御部とが別体として設けられている表示装置において、非走査期間の少なくとも一部の期間において信号線駆動回路が有する受信回路の機能を低下させることができ、低電力化を図ることができる。ここで機能を低下させるとは、その回路の機能を制限する、あるいは駆動能力を低能力化させる、あるいは停止させることなどを含む。
【発明の効果】
【００１４】
以上のように、本発明に係る表示装置は、複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信した同期信号に基づいて、いずれの走査信号線も選択していない非走査期間を規定するとともに、規定した非走査期間の少なくとも一部の期間において上記受信回路の機能を低下させる休止駆動制御信号を、上記信号線駆動回路へ送信するタイミング制御部とを備え、
上記信号線駆動回路と上記タイミング制御部とは別体として設けられている構成である。【００１５】
本発明に係る駆動方法は、複数の走査信号線を線順次に選択する走査線駆動回路と、
データ信号を受信する受信回路を有し、上記走査線駆動回路が選択した走査信号線に連なる画素に上記データ信号を順次供給する信号線駆動回路と、
外部から受信したクロック信号および同期信号に基づいて、いずれの走査信号線も選択していない非走査期間を規定するタイミング制御部とを備え、
上記信号線駆動回路と上記タイミング制御部とは別体として設けられている表示装置の駆動方法であって、
上記タイミング制御部において、外部から受信したクロック信号および同期信号に基づいて上記非走査期間を規定する規定工程と、
上記規定工程において規定した非走査期間の少なくとも一部の期間において上記受信回路の機能を低下させる休止駆動制御信号を、上記タイミング制御部が上記信号線駆動回路へ送信する送信工程とを含む構成である。【００１６】
それゆえ、信号線駆動回路とタイミング制御部とが別体として設けられている表示装置において、非走査期間の少なくとも一部の期間において信号線駆動回路が有する受信回路の機能を低下させることができ、低電力化を図ることができるという効果を奏する。
【図面の簡単な説明】
【００１７】
【図１】本発明の一実施形態に係る表示装置の全体構成を示す図である。
【図２】上記表示装置が備える信号線駆動回路の構成を示す図である。
【図３】上記表示装置において、１垂直期間内に非走査期間を形成する方法を説明するための図である。
【図４】本発明の別の実施形態に係る表示装置の構成を示す図である。
【図５】動作判別信号とその他の信号との信号波形を比較したタイミングチャートである。
【図６】本発明のさらに別の実施形態に係る表示装置の構成を示す図である。
【図７】動作判別信号とＧＡＴＥ＿ＥＮ信号との信号波形を比較したタイミングチャートである。
【図８】休止状態にある映像信号受信回路に動作判別信号が入力される時点では、差動クロック信号および差動データ信号が映像信号受信回路に入力されないことを示すタイミングチャートである。
【図９】休止状態にある映像信号受信回路に動作判別信号が入力される時点では、差動クロック信号および差動データ信号は、Ｌｏｗ入力状態となっていることを示すタイミングチャートである。
【図１０】動作判別信号がＯＦＦになってから所定の時間は、差動クロック信号が通常駆動されることを示すタイミングチャートである。
【図１１】動作判別信号がＯＦＦになってから所定の時間は、差動クロック信号が通常駆動され、動作判別信号がＯＦＦになった時点を含む所定の時間は、差動データ信号がＬｏｗ入力状態で入力されることを示すタイミングチャートである。
【発明を実施するための形態】
【００１８】
〔実施の形態１〕
本発明の実施の一形態について図１〜図３に基づいて説明すれば、以下のとおりである。
【００１９】
（表示装置１の構成）
まず、本実施形態に係る表示装置（液晶表示装置）１の構成について、図１を参照して説明する。図１は、表示装置１の全体構成を示す図である。図１に示すように、表示装置１は、表示パネル２、３つの信号線駆動回路（ソースドライバ）３、走査線駆動回路（ゲートドライバ）４、タイミングコントローラ（タイミング制御部）１０、入力コネクタ１１および電源生成回路１２を備えている。
【００２０】
本実施形態では、表示装置１として、中型以上（５型〜１３型クラス）のａ‐ＳｉＴＦＴパネルを採用した液晶表示装置を想定しており、解像度は、例えば１０２４ＲＧＢ×７６８である。一般的に、このようなクラスの表示装置の場合、タイミングコントローラと信号線駆動回路とは、別々のチップに搭載されている。その場合に、タイミングコントローラ１０を１個、信号線駆動回路３を３個備える構成であることが多い。本実施形態では、信号線駆動回路３を３個備える構成とするが、信号線駆動回路３の個数は特に限定されない。
【００２１】
また、表示装置１の解像度も、上述のものに限定されず、ＶＧＡ（６４０×４８０）〜ＷＸＧＡ（１３６６×８００）の一般的な解像度であってもよく、１９２０×１０２４などの高解像度であってもよい。また、本発明の表示装置は、液晶表示装置に限定されず、有機ＥＬ（electro-luminescence）表示装置などその他の種類の表示装置であってもよい。有機ＥＬ表示装置は、走査期間の消費電流が非常に多いため、本発明を適用することによる低電力化の効果が大きい。
【００２２】
（表示パネル２）
表示パネル２は、マトリクス状に配置された複数の画素７からなる画面と、走査信号線６（ゲートライン）と、データ信号線５（ソースライン）とを備えている。走査信号線６は、前記画面を線順次に選択して走査するための信号線である。データ信号線５は、選択された走査信号線に含まれる一行分の画素７にデータ信号を供給する信号線である。走査信号線６とデータ信号線５とは互いに交差している。
【００２３】
信号線駆動回路３は、複数のデータ信号線５を介してデータ信号を一行分の画素７に供給する。なお、複数の信号線駆動回路３のそれぞれに接続されるデータ信号線の数は特に限定されない。
【００２４】
なお、本実施形態は、説明の簡便のため等価回路を対象にした駆動を例にしており、表示パネル２内の各画素にはＴＦＴ（thin film transistor）が設けられており、ＴＦＴのドレイン電極は画素電極に接続されている。
【００２５】
さらに、表示装置１は、画面内の各画素７に対して、共通電極（ＣＯＭ：不図示）を備えている。極性反転信号基づき、所定の共通電圧が共通電極に出力されることで共通電極が駆動される。
【００２６】
（走査線駆動回路４）
走査線駆動回路４は、タイミングコントローラ１０から出力された同期信号およびクロック信号に従って、複数の走査信号線６を画面の上から下に向かって線順次に選択する（走査する）。その際、各走査信号線６に対して、画素７に備えられ画素電極に接続されるスイッチング素子（ＴＦＴ）をオン状態にさせるための矩形波（走査信号）を出力する。これにより、画面内の１行分の画素７を選択状態にする。このように、同期信号およびクロック信号は、表示パネル２へ走査信号を出力するタイミングを制御するタイミング制御信号として機能する。
【００２７】
（信号線駆動回路３）
信号線駆動回路３は、タイミングコントローラ１０から出力された同期信号およびクロック信号に基づき、走査線駆動回路４が選択した１行分の各画素７に出力すべき電圧の値を算出し、その値の電圧を各データ信号線５に出力する。その結果、選択された走査信号線６に連なる（電気的に接続された）各画素７に対して、タイミングコントローラ１０から転送された映像データ（データ信号）が順次供給される。このように、同期信号およびクロック信号は、映像データを表示パネル２へ出力するタイミングを制御するタイミング制御信号として機能する。
【００２８】
図２は、信号線駆動回路３の構成を示す図である。図２に示すように、信号線駆動回路３は、映像信号受信回路（映像データ用Ｉ／Ｆ受信回路）３１、映像データ出力タイミング生成部３３を含むタイミングコントロール部３２および出力アンプ回路（出力回路）３４を備えている。
【００２９】
映像信号受信回路３１は、タイミングコントローラ１０から出力された映像信号（データ信号）および後述する動作判別信号を受信する。映像信号を受信するインターフェースとして、例えば、ｍｉｍｉＬＶＤＳ（low voltage differential signaling）インターフェースまたはＲＳＤＳ（reduced swing differential signaling）インターフェースを利用することができる。ただし、表示装置１で利用されるインターフェースは、これらに限定されない。
【００３０】
また、映像信号受信回路３１は、タイミングコントローラ１０から出力される動作判別信号によって、映像信号受信回路３１の機能が低下する休止状態と、当該休止状態から復帰した動作状態とに切り替えられる。
【００３１】
タイミングコントロール部３２は、映像データを出力アンプ回路３４から表示パネル２へ供給するタイミングを制御するものであり、映像データ出力タイミング生成部３３を備えている。
【００３２】
映像データ出力タイミング生成部３３は、映像信号受信回路３１が受信した映像信号に含まれる同期信号（垂直同期信号および水平同期信号）およびクロック信号に基づいて、出力アンプ回路３４を制御するための制御信号（ソーススタートパルス信号など）を生成する。そして、映像データ出力タイミング生成部３３は、生成した制御信号を、映像信号受信回路３１から受信した映像データとともに出力アンプ回路３４へ出力する。
【００３３】
出力アンプ回路３４は、各データ信号線５にデータ信号を出力する複数のアナログアンプ３４ａを備えている。そして、出力アンプ回路３４は、映像データ出力タイミング生成部３３から受信した制御信号に従い、映像データを走査信号線６に連なる各画素７に対して、各アナログアンプ３４ａを介して上記データ信号を供給する。
【００３４】
この各アナログアンプ３４ａは、１フレーム内ごとに画素７へ印加する電圧の極性を反転させる。個々のアナログアンプ３４ａには、出力能力を確保するために、０．０１ｍＡ程度の定常電流が常時流れている。それゆえ、出力アンプ回路３４は、定常電流が流れる出力回路であると言える。なお、アナログアンプ３４ａの数と、データ信号線５の数とは必ずしも同一である必要はない。
（タイミングコントローラ１０）
図１に示すように、タイミングコントローラ１０は、コントロール基板１３に設けられており、ＦＰＣ（フレキシブルプリント基板）１４を介して信号線駆動回路３等と通信可能に接続されている。それゆえ、タイミングコントローラ１０は、信号線駆動回路３および走査線駆動回路４とは別体として（換言すれば、別々のチップ上に）設けられている。
【００３５】
タイミングコントローラ１０には、入力コネクタ１１を介して映像データとともに、クロック信号および、入力映像同期信号として、水平同期信号（Ｈｓｙｎｃ）、垂直同期信号（Ｖｓｙｎｃ）が入力される。これら映像データ、水平・垂直同期信号およびクロック信号を含めて入力映像信号と称する。この入力映像信号は、入力コネクタ１１と通信可能に接続される外部の装置（例えば、ＤＶＤプレーヤー、放送受信装置など）から入力される。
【００３６】
タイミングコントローラ１０は、受信した水平・垂直同期信号に基づき、表示装置１の各回路が同期して動作するための基準となる同期信号およびクロック信号を生成する。そして、タイミングコントローラ１０は、これら同期信号およびクロック信号を映像データとともに映像信号として３つの信号線駆動回路３のそれぞれへ同時に出力する。それゆえタイミングコントローラ１０は、外部から受信した映像データを信号線駆動回路３へ転送するデータ信号転送部としての機能を有する。
【００３７】
また、タイミングコントローラ１０は、生成した同期信号およびクロック信号を走査線駆動回路４へ出力する。
【００３８】
また、タイミングコントローラ１０は、外部から受信したクロック信号および同期信号に基づいて、選択された走査信号線６に連なる各画素７に対してデータ信号が供給される走査期間および上記データ信号がいずれの画素７に対しても供給されない非走査期間を規定する。そして、タイミングコントローラ１０は、規定した非走査期間の少なくとも一部の期間において映像信号受信回路３１の機能を低下させる動作判別信号（休止駆動制御信号）を、信号線駆動回路３へ送信する。
【００３９】
上記動作判別信号は、映像信号受信回路３１の機能が低下する休止状態と、当該休止状態から復帰した動作状態とを切り替える信号であると言える。タイミングコントローラ１０は、生成した動作判別信号を３つの映像信号受信回路３１のそれぞれへ同時に出力する。この構成により、３つの映像信号受信回路３１を同期させて休止駆動することができる。
【００４０】
このようにタイミングコントローラ１０は、外部から入力映像信号として水平・垂直同期信号およびクロック信号を受信する機能に加え、動作判別信号を生成する動作判別信号生成部としての機能を有している。動作判別信号を生成する（ＯＮ／ＯＦＦする）タイミングは、水平・垂直同期信号およびクロック信号に基づいて決められる。そのため、水平・垂直同期信号およびクロック信号を受信するタイミングコントローラ１０が動作判別信号を生成することにより、簡単な構成で動作判別信号を生成することができる。
【００４１】
なお、動作判別信号は、映像信号受信回路３１の動作状態と休止状態とを切り替えることができるものであればよい。例えば、動作判別信号を映像信号受信回路３１へ送信しないことで映像信号受信回路３１を休止状態にしてもよい。また、動作判別信号を、映像信号受信回路３１を休止状態から復帰させる復帰制御信号（動作制御信号）と、映像信号受信回路３１を動作状態から休止状態に移行させる休止制御信号との２種類の信号の組み合わせとして実現してもよい。
【００４２】
以下では、動作判別信号は、Ｈ値とＬ値との２段階の電圧を有する信号であり、Ｈ値の動作判別信号を受信した場合に映像信号受信回路３１が動作し、Ｌ値の動作判別信号を受信した場合に映像信号受信回路３１が休止するものとする。すなわち、本実施形態における動作判別信号は、上記復帰制御信号と上記休止制御信号とが１つの信号として実現されたものであると言える。Ｈ値の電圧を有する動作判別信号が復帰制御信号であり、Ｌ値の電圧を有する動作判別信号が休止制御信号である。
【００４３】
また、動作判別信号がＨ値になっている状態を動作判別信号がＯＮになっていると表現し、動作判別信号がＬ値になっている状態を動作判別信号がＯＦＦになっていると表現する。
【００４４】
なお、タイミングコントローラ１０は、復帰制御信号としての動作判別信号を、複数の信号線駆動回路３が有する映像信号受信回路３１のそれぞれへ個別に（タイミングをずらして）送信してもよい。ただし、走査期間が開始される前に全ての映像信号受信回路３１が立ち上がるように、動作判別信号をＯＮにする（動作判別信号を送信する）タイミングを設定する。
【００４５】
この構成により、信号線駆動回路３が複数設けられている場合に、複数の信号線駆動回路間の復帰時に生じるラッシュ電流を分散化させることができる。
【００４６】
なお、動作判別信号がＯＮになるタイミングが３つの映像信号受信回路３１で互いに異なれば、３つの映像信号受信回路３１が立ち上がるタイミングが互いに異なることになる。この場合でも、信号線駆動回路３へ送信される同期信号およびクロック信号により３つの信号線駆動回路３の同期をとることができる。
【００４７】
（電源生成回路１２）
電源生成回路１２は、表示装置１内の各回路が動作するために必要な電圧を生成し、表示装置１の各回路に出力する。
【００４８】
（走査期間および非走査期間）
上述のように表示装置１では、表示パネル２を駆動する際、１垂直期間において、あるいは複数の垂直期間のまとまりにおいて走査期間と非走査期間とが規定される。走査期間とは、任意の走査信号線６に連なる画素７に対してデータ信号を供給する期間である。また、非走査期間とは、１垂直期間内における、あるいは複数の垂直期間のまとまりにおける走査期間以外の期間である。なお、１垂直期間は、外部から入力された垂直同期信号に基づいて規定される。
【００４９】
図３は、１垂直期間内に非走査期間を形成する方法を説明するための図である。図３に示すように、走査線駆動回路４を制御するためにタイミングコントローラ１０から出力されるＧＣＫ信号（ゲートクロック信号）およびＧＯＥ信号（ゲートアウトプットイネーブル信号）の発振間隔を調節することで非走査期間を形成できる。
【００５０】
図３に示す例では、４番目の走査信号線（Ｇ４）に走査信号が出力されてから、５番目の走査信号線（Ｇ５）に走査信号が出力されるまでの間に所定の時間間隔が設けられており、この時間間隔が非走査期間となる。すなわち、非走査期間は、いずれの走査信号線も選択されない期間である。
【００５１】
図３に示す例は、あくまで一例であり、非走査期間を形成する手法は上述のものに限定されない。また、非走査期間の長さおよび１垂直期間における非走査期間の位置も、特に限定されない。非走査期間は、１垂直期間内の任意の期間である。例えば、非走査期間の開始時点は、１フレーム分の走査が終了した直後であってもよく、終了時点の少しあとでもよい。また、非走査期間の終了時点は、１垂直期間が終了する時点に限らず、その前でもかまわない。
【００５２】
（映像信号受信回路３１の動作期間および休止期間）
映像信号受信回路３１が休止状態にある期間を休止期間と称し、休止期間以外の期間を動作期間と称する。休止期間は、表示装置１の非走査期間に含まれる少なくとも一部の期間である。すなわち、非走査期間と休止期間とを一致させてもよいし、非走査期間の一部を休止期間としてもよい。
【００５３】
また、休止期間において映像信号受信回路３１を完全に機能停止させる必要は必ずしもなく、休止期間において映像信号受信回路３１の機能を低下させれば消費電力の低減効果が得られる。
【００５４】
タイミングコントローラ１０が生成する動作判別信号は、映像信号受信回路３１の休止状態と動作状態とを切り替えるための信号である。この動作判別信号がＯＮになっている間は、映像信号受信回路３１が動作状態となる。タイミングコントローラ１０は、走査期間および非走査期間を規定するため、自らが規定した走査期間および非走査期間を基準として動作判別信号をＯＮ／ＯＦＦするタイミングを決定すればよい。
【００５５】
すなわち、タイミングコントローラ１０における処理には、外部から受信した同期信号に基づいて、全ての走査信号線６が選択されない非走査期間を規定する規定工程と、規定工程において規定した非走査期間の少なくとも一部の期間において映像信号受信回路３１の機能を低下させる休止駆動制御信号を、信号線駆動回路３へ送信する送信工程とを含んでいる。
【００５６】
なお、映像信号受信回路３１の内部に、映像信号を受信する映像信号受信部と、受信回路制御部とを設けてもよい。上記受信回路制御部は、動作判別信号を受信し、受信した動作判別信号に基づいて映像信号受信部の動作および休止を制御する。この場合、受信回路制御部は、動作判別信号がＯＮになったことを契機として、映像信号受信部を動作させる処理を行う。また、受信回路制御部は、動作判別信号がＯＦＦになったことを契機として、映像信号受信部を休止させる処理を行う。
【００５７】
（表示装置１の効果）
以上の構成によれば、タイミングコントローラ１０から映像信号受信回路３１へ動作判別信号を出力することにより、タイミングコントローラ１０とは別のチップに搭載された映像信号受信回路３１の休止駆動を実現できる。その結果、非走査期間の少なくとも一部の休止期間の間、映像信号受信回路３１の駆動が休止され、表示装置１における消費電力を低減することができる。
【００５８】
また、信号線駆動回路側で休止期間の長さをカウントする必要がないため信号線駆動回路に内蔵クロック発生回路を設ける必要がなくなる。それゆえ、簡易な回路で映像信号受信回路の休止駆動を実現することができる。
【００５９】
なお、シリアルインターフェースなど（ＳＰＩやＩ２Ｃ）のコマンドにて、映像信号受信回路のＯＮ／ＯＦＦを制御することも考えられる。しかし、基本的にはシリアルインターフェースと映像信号系とは非同期であるため、走査期間および休止期間に合わせてコマンドの送信や受信、内部動作への反映などを行う場合には、複雑な構成が必要となる。
【００６０】
そのため、上述のように、動作判別信号によって映像信号受信回路３１の駆動を制御することが好ましい。
【００６１】
〔実施の形態２〕
本発明の他の実施形態について図４〜図５に基づいて説明すれば、以下のとおりである。なお、実施の形態１と同様の部材に関しては、同じ符号を付し、その説明を省略する。
【００６２】
図４は、本実施形態の表示装置１００の構成を示す図である。図４に示すように、表示装置１００では、タイミングコントロール部３２に休止駆動制御部（出力回路制御部）３５が含まれている。
【００６３】
表示装置１００では、タイミングコントローラ１０は、動作判別信号を映像信号受信回路３１に加え休止駆動制御部３５へも出力する。
【００６４】
休止駆動制御部３５は、出力アンプ回路３４が備えるアナログアンプ３４ａの休止状態と動作状態とを切り替えるＡＭＰ＿Ｅｎａｂｌｅ信号（以下、ＡＭＰ＿ＥＮ信号と略称する）を出力アンプ回路３４へ出力する。アナログアンプ３４ａの休止状態とは、アナログアンプ３４ａの能力が低下している状態であり、アナログアンプ３４ａの動作状態とは、上記休止状態から復帰した状態である。また、アナログアンプ３４ａが休止状態にある期間をアンプ休止期間と称し、アナログアンプ３４ａが動作状態にある期間をアンプ動作期間と称する。
【００６５】
より具体的には、休止駆動制御部３５は、動作判別信号を受信したことを契機としてＡＭＰ＿ＥＮ信号をＨ値に切り替え、動作判別信号がＯＦＦになったことを契機としてＡＭＰ＿ＥＮ信号をＬ値に切り替える。アナログアンプ３４ａは、ＡＭＰ＿Ｅｎａｂｌｅ信号がＨ値のときには動作し、Ｌ値のときには休止する。すなわち、休止駆動制御部３５は、動作判別信号に基づいて、出力アンプ回路３４を動作および休止させる。
【００６６】
アンプ休止期間において、出力アンプ回路３４に含まれる全てのアナログアンプ３４ａを完全に能力停止させる必要は必ずしもなく、一部のアナログアンプ３４ａの能力を低下させてもよい。すなわち、アンプ休止期間において、出力アンプ回路３４の能力の少なくとも一部を低下させればよく、これによって消費電力の低減効果が得られる。全てのアナログアンプ３４ａを休止させれば、消費電力を最も多く削減できるのでより望ましい。
【００６７】
ＡＭＰ＿ＥＮ信号をタイミングコントローラ１０から出力アンプ回路３４に直接入力することもできる。この場合、タイミングコントローラ１０が、出力アンプ回路３４の能力を低下させる出力回路制御部として機能する。
【００６８】
しかし、動作判別信号からＡＭＰ＿ＥＮ信号を生成することにより、ＡＭＰ＿ＥＮ信号を出力アンプ回路３４に送信する信号線を別途設ける必要がなくなり、タイミングコントローラ１０および信号線駆動回路３の端子数を削減できる。それゆえ、休止駆動制御部３５において動作判別信号からＡＭＰ＿ＥＮ信号を生成することが好ましい。
【００６９】
なお、ＡＭＰ＿ＥＮ信号は、休止駆動制御部３５から映像データ出力タイミング生成部３３へも出力され、映像データの出力の制御に利用される。
【００７０】
（動作判別信号とその他の信号との関係）
動作判別信号は、映像信号受信回路３１に入力されるとともに休止駆動制御部３５にも入力される。この動作判別信号によって映像信号受信回路３１が駆動制御されるとともに、動作判別信号に基づいてＡＭＰ＿ＥＮ信号が生成される。図５は、動作判別信号とその他の信号との信号波形を比較したタイミングチャートである。
【００７１】
図５に示すように、動作判別信号は、走査期間が開始される少し前にＯＮになることが好ましい。すなわち、タイミングコントローラ１０は、走査期間が開始されるよりも先に、映像信号受信回路３１を休止状態から復帰させる動作判別信号（復帰制御信号）を映像信号受信回路３１へ送信することが好ましい。
【００７２】
動作判別信号をＯＮにすることにより映像信号受信回路３１を起動させたとき、映像信号受信回路３１の正常な動作が可能となるまでに、ある程度の時間が必要になる。そのため、動作判別信号をＯＮにするタイミングと、次の走査期間を開始するタイミングとを同じにした場合、出力アンプ回路３４からデータ信号線５に出力される信号の状態が安定しなくなるなどの不具合が生じる可能性がある。これにより、本来は意図しない電圧を画素７に印加してしまう可能性がある。
【００７３】
そこで、表示装置１００では、動作判別信号をＯＮにするタイミングを、次の走査期間を開始するタイミング（動作期間の開始時点）よりも早めに設定することが好ましい。これにより、映像信号受信回路３１が休止状態から復帰して安定した後に、次の走査期間が開始され、その結果、正常な電圧を画素７に印加できる。このことは、表示装置１についても言える。
【００７４】
また、動作判別信号がＯＮ／ＯＦＦされることによって、アナログアンプ３４ａの動作状態と休止状態とが切り替えられる。具体的には、休止駆動制御部３５は、動作判別信号を受信した（ＯＮになった）ことを契機としてＡＭＰ＿ＥＮ信号をＨ値に切り替え、動作判別信号がＯＦＦになったことを契機としてＡＭＰ＿ＥＮ信号をＬ値に切り替える。
【００７５】
図５に示すタイミングチャートでは、動作判別信号がＯＮになってからＡＭＰ＿ＥＮ信号がＨ値に切り替わるまでにタイムラグが生じている。このタイムラグは、動作判別信号がＯＮになってもすぐにはＡＭＰ＿ＥＮ信号が切り替わらないために生じるものである。
【００７６】
この意味からも、上述したように、動作判別信号をＯＮにするタイミングを、次の走査期間を開始するタイミング（換言すれば、アンプ動作期間の開始時点）よりも早めに設定することが好ましい。この構成により、アナログアンプ３４ａが休止状態から復帰して安定した後に、次の走査期間が開始され、その結果、正常な電圧を画素７に印加できる。
【００７７】
なお、休止駆動制御部３５は、アナログアンプ３４ａを動作させるための信号と、アナログアンプ３４ａを休止させるための信号とを別の信号として出力してもよい。
【００７８】
（表示装置１００の効果）
以上のように、表示装置１００では、映像信号受信回路３１の休止駆動に加えて、出力アンプ回路３４の休止駆動が行われる。それゆえ、映像信号受信回路３１のみを休止駆動する場合よりも効果的に表示装置の低電力化を図ることができる。
【００７９】
〔実施の形態３〕
本発明のさらに他の実施形態について図６〜図７に基づいて説明すれば、以下のとおりである。なお、実施の形態１・２と同様の部材に関しては、同じ符号を付し、その説明を省略する。
【００８０】
図６は、本実施形態の表示装置２００の構成を示す図である。図６に示すように、表示装置２００では、タイミングコントロール部３２に休止駆動制御部（走査線駆動回路制御部）３６および走査線駆動回路制御信号生成部（走査線駆動回路制御部）３７が含まれている。
【００８１】
休止駆動制御部３６は、休止駆動制御部３５が有する機能に加えて、走査線駆動回路４の休止状態と動作状態とを切り替えるＧＡＴＥ＿Ｅｎａｂｌｅ信号（以下、ＧＡＴＥ＿ＥＮ信号と略称する）を生成する。そして、休止駆動制御部３６は、生成したＧＡＴＥ＿ＥＮ信号を走査線駆動回路制御信号生成部３７へ送信する。
【００８２】
具体的には、休止駆動制御部３６は、動作判別信号を受信した（ＯＮになった）ことを契機としてＧＡＴＥ＿ＥＮ信号をＬ値からＨ値に切り替える。また、休止駆動制御部３６は、動作判別信号がＯＦＦになったことを契機としてＧＡＴＥ＿ＥＮ信号をＬ値に切り替える。ＧＡＴＥ＿ＥＮ信号がＨ値のときには走査線駆動回路４は通常動作を行い、Ｌ値のときには休止する。すなわち、休止駆動制御部３６は、動作判別信号に基づいて、走査線駆動回路４を動作および休止させる。
【００８３】
映像データ出力タイミング生成部３３は、映像信号受信回路３１が受信した映像信号に基づいて、走査線駆動回路４のタイミング制御の基準となる制御信号（水平同期信号、垂直同期信号およびクロック（ドットクロック））を生成する。そして、映像データ出力タイミング生成部３３は、生成した制御信号を走査線駆動回路制御信号生成部３７へ出力する。
【００８４】
走査線駆動回路制御信号生成部３７は、休止駆動制御部３６から受信したＧＡＴＥ＿ＥＮ信号および映像データ出力タイミング生成部３３から受信した制御信号に基づいて、走査線駆動回路４において表示パネル２へ走査信号を出力するタイミングを制御するタイミング制御信号を生成する。このタイミング制御信号には、ＧＳＰ（ゲートスタートパルス信号）、ＧＣＫ（ゲートクロック信号）およびＧＯＥ（ゲートアウトプットイネーブル信号）が含まれる。そのため。本実施の形態では、タイミングコントローラ１０からは走査線駆動回路４の制御は行われない。
【００８５】
走査線駆動回路制御信号生成部３７は、生成したタイミング制御信号を走査線駆動回路４へ出力する。
【００８６】
このとき、走査線駆動回路制御信号生成部３７は、ＧＡＴＥ＿ＥＮ信号がＨ値のときには、タイミング制御信号（ＧＳＰなど）を通常の走査期間における発振状態とし、ＧＡＴＥ＿ＥＮ信号がＬ値のときには、タイミング制御信号を、図３に示したように、非走査期間に対応した固定された（一定レベルを有する）波形を示す出力状態にする。この構成により、ＧＡＴＥ＿ＥＮ信号がＨ値のときには走査線駆動回路４は通常動作を行い、Ｌ値のときには休止する。逆に、ＧＡＴＥ＿ＥＮ信号がＨ値のときに走査線駆動回路４を休止させ、Ｌ値のときに動作させてもよい。
【００８７】
なお、より高機能な走査線駆動回路を採用する場合は、ＧＡＴＥ＿ＥＮ信号を走査線駆動回路４へ直接送信する構成も考えられる。
【００８８】
このように、休止駆動制御部３６および走査線駆動回路制御信号生成部３７は、動作判別信号に基づいて、走査線駆動回路４の機能が低下する休止状態と、当該休止状態から復帰した動作状態とを切り替える走査線駆動回路制御部として機能する。
【００８９】
（動作判別信号とＧＡＴＥ＿ＥＮ信号との関係）
図７は、動作判別信号とＧＡＴＥ＿ＥＮ信号との信号波形を比較したタイミングチャートである。図７に示すように、動作判別信号とＧＡＴＥ＿ＥＮ信号との関係は、図５に示した動作判別信号とＡＭＰ＿ＥＮ信号との関係と同じである。すなわち、出力アンプ回路３４の休止期間と、走査線駆動回路４の休止期間とは一致している。
【００９０】
表示装置２００では、動作判別信号のＯＮ／ＯＦＦによって、走査期間および非走査期間が規定される。そのため、タイミングコントローラ１０は、入力映像信号に対応した走査期間および非走査期間が実現されるように動作判別信号のＯＮ／ＯＦＦのタイミングを規定する。
【００９１】
（表示装置２００の効果）
以上のように、表示装置２００は、休止駆動制御部３６および走査線駆動回路制御信号生成部３７を備えることにより、出力アンプ回路３４の休止駆動に加えて、信号線駆動回路３による走査線駆動回路４の休止駆動も行うことができる。それゆえ、タイミングコントローラ１０からの制御信号用配線が不要となり、ＦＰＣ幅の削減が可能となる。
【００９２】
〔実施の形態４〕
本発明のさらに他の実施形態について図８〜図１１に基づいて説明すれば、以下のとおりである。なお、実施の形態１〜３と同様の部材に関しては、同じ符号を付し、その説明を省略する。
【００９３】
ここでは、表示装置１・１００・２００において、タイミングコントローラ１０から映像信号受信回路３１へ、動作判別信号に加えて差動クロック信号および差動データ信号が送信される構成について説明する。差動クロック信号は、上述のクロック信号に相当する。また、差動データ信号は、上述の同期信号および映像データ信号に相当する。すなわち、上述の映像信号が差動信号として映像信号受信回路３１に入力される。
【００９４】
差動信号は、プラス側の信号とマイナス側の信号との１対の信号から構成されており、プラス側の信号とマイナス側の信号とは、ほぼ１８０度の位相差を有している。これら２つの信号の電位差が信号レベルになる。
【００９５】
差動信号を用いることにより、シングルエンド信号よりも信号振幅を小さくできるため、データ伝送速度を高速にできる。また、差動信号は、コモン・モード雑音に強いという有利な効果を奏する。
【００９６】
以下では、映像信号受信回路３１の休止状態からの復帰時と、映像信号受信回路３１の休止状態への移行時とにおける、映像信号受信回路３１への信号入力のタイミングおよび信号の状態について説明する。
【００９７】
なお、以下では、クロック信号およびデータ信号は、差動信号であるという前提で説明するが、差動Ｌｏｗ入力状態に相当する信号状態を実現できる信号であれば、差動信号以外の信号をクロック信号および／またはデータ信号として利用してもよい。
【００９８】
（休止状態からの復帰時）
〔第１の例〕
図８は、休止状態にある映像信号受信回路３１に動作判別信号が入力される時点では、差動クロック信号および差動データ信号が映像信号受信回路３１に入力されないことを示すタイミングチャートである。
【００９９】
図８に示すように、休止状態にある映像信号受信回路３１は、動作期間に受信する特定信号（すなわち、差動クロック信号および差動データ信号）の受信を開始するタイミングよりも先に、映像信号受信回路３１を休止状態から復帰させる動作判別信号を受信することが好ましい。つまり、差動クロック信号および差動データ信号は、動作判別信号がＯＮになった時点から所定の時間が経過した後に、タイミングコントローラ１０から送信される。ただし、差動クロック信号および差動データ信号は、走査期間が始まる時点またはその少し前に映像信号受信回路３１に入力される。
【０１００】
この構成により、休止状態にある映像信号受信回路３１に、動作判別信号に加えて複数種類の信号が同時に入力されることで当該映像信号受信回路３１に不具合が生じる可能性を低減できる。
【０１０１】
なお、動作判別信号がＯＮになる時点で、差動クロック信号または差動データ信号の一方のみを映像信号受信回路３１に入力しない構成にしてもよい。ただし、上述の効果を確実に得るためには、差動クロック信号および差動データ信号の両方を動作判別信号と同時には入力しないことが好ましい。
【０１０２】
〔第２の例〕
図９は、休止状態にある映像信号受信回路３１に動作判別信号が入力される時点では、差動クロック信号および差動データ信号は、Ｌｏｗ入力状態となっていることを示すタイミングチャートである。
【０１０３】
ここでは、差動信号（差動クロック信号および差動データ信号）が有する２つの信号の電位差が所定のレベル以下に固定された状態を差動Ｌｏｗ入力状態と称する。すなわち、差動Ｌｏｗ入力状態とは、プラス側の信号とマイナス側の信号とが両方ともＨｉｇｈレベルあるいは両方ともＬｏｗレベルを有する状態（Ｌｏｗレベル固定された状態）である。
【０１０４】
また、差動信号が通常駆動されている状態とは、プラス側の信号とマイナス側の信号とがそれぞれ個別にＬｏｗレベルからＨｉｇｈレベルまで変化し、その電位差に予め決められた意味を持たせ得る状態のことである。
【０１０５】
図９に示すように、休止状態にある映像信号受信回路３１は、復帰時に動作判別信号に加えて差動クロック信号および差動データ信号を受信する。このとき、これら差動クロック信号および差動データ信号は、Ｌｏｗ入力状態となっていることが好ましい。換言すれば、休止状態にある映像信号受信回路３１は、休止状態から復帰させる動作判別信号を受信するときに、映像信号受信回路３１が動作期間に受信する差動クロック信号および差動データ信号（特定信号）を、差動Ｌｏｗ入力状態で受信することが好ましい。
【０１０６】
この構成により、休止状態にある映像信号受信回路３１に、動作判別信号に加えて、高い電圧レベルの信号が入力されることで映像信号受信回路３１に不具合が生じる可能性を低減できる。
【０１０７】
なお、本例において、差動Ｌｏｗ入力状態の差動クロック信号および差動データ信号を受信するタイミングは、動作判別信号を受信するタイミングと同時であってもよいし、動作判別信号がＯＮになるタイミングよりも早くてもよい。
【０１０８】
また、差動クロック信号および差動データ信号をＬｏｗ入力状態で受信する時間は、回路の特性等に応じて適宜設定されればよい。ただし、差動クロック信号および差動データ信号は、走査期間が始まる時点またはその少し前に通常駆動状態で映像信号受信回路３１に入力される。
【０１０９】
また、動作判別信号がＯＮになる時点で、差動クロック信号または差動データ信号の一方のみを差動Ｌｏｗ入力状態で受信する構成にしてもよい。ただし、上述の効果を確実に得るためには、差動クロック信号および差動データ信号の両方を差動Ｌｏｗ入力状態で受信することが好ましい。
【０１１０】
〔休止状態への移行時〕
〔第１の例〕
図１０は、動作判別信号がＯＦＦになってから所定の時間は、差動クロック信号が通常駆動されることを示すタイミングチャートである。図１０に示すように、動作判別信号がＯＦＦになってから所定の時間は、映像信号受信回路３１は、通常駆動状態の差動クロック信号を継続的に受信することが好ましい。すなわち、タイミングコントローラ１０からの差動クロック信号の送信が停止するタイミングは、動作判別信号がＯＦＦになるタイミングよりも遅れていることが好ましい。
【０１１１】
上記所定の時間は、映像信号受信回路３１の回路特性によって異なるが、例えば、数十クロックカウント程度である。
【０１１２】
動作判別信号がＯＦＦになった時点で差動クロック信号の送信を停止することも可能であるが、信号線駆動回路３の内部の回路機能を急に休止させるのではなく、順次機能を休止させる方が好ましい。この構成により、急に差動クロック信号の送信を停止する場合よりも、休止状態からの復帰時に不具合が生じる可能性を低減できる。
【０１１３】
〔第２の例〕
図１１は、動作判別信号がＯＦＦになってから所定の時間は、差動クロック信号が通常駆動され、動作判別信号がＯＦＦになった時点を含む所定の時間内は、差動データ信号がＬｏｗ入力状態で入力されることを示すタイミングチャートである。
【０１１４】
本例では、図１１に示すように、差動クロック信号については第１の例と同様に、動作判別信号がＯＦＦになってから所定の時間は、通常駆動状態で映像信号受信回路３１に入力される。
【０１１５】
これに加えて、差動データ信号については、動作判別信号がＯＦＦになった時点を含む所定の時間内は、差動データ信号が差動Ｌｏｗ入力状態で入力される。上記所定の時間は、映像信号受信回路３１の回路特性に応じて適宜設定されればよい。
【０１１６】
映像信号受信回路３１が休止状態に移行する時点で、高い電圧レベルのデータ信号を受信した場合には、映像信号受信回路３１が、次回の動作期間において正常に復帰しなくなるなどの不具合が生じる可能性がある。本例の構成により、このような可能性を低減することができる。
【０１１７】
〔付記事項〕
また、上記信号線駆動回路は複数設けられており、上記タイミング制御部は、上記休止駆動制御信号を、上記複数の信号線駆動回路が有する受信回路のそれぞれへ同時に送信することが好ましい。
【０１１８】
上記の構成により、信号線駆動回路が複数設けられている場合に、複数の信号線駆動回路間の同期をとって休止制御することができる。
【０１１９】
また、上記信号線駆動回路は複数設けられており、上記タイミング制御部は、上記受信回路を、機能が低下した休止状態から復帰させる復帰制御信号を、上記複数の信号線駆動回路が有する受信回路のそれぞれへ個別に送信することが好ましい。
【０１２０】
上記の構成により、信号線駆動回路が複数設けられている場合に、複数の信号線駆動回路間の復帰時に生じるラッシュ電流を分散化させることができる。
【０１２１】
また、上記タイミング制御部は、上記画素に対して上記データ信号が供給される走査期間が開始されるよりも先に、上記受信回路を、機能が低下した休止状態から復帰させる復帰制御信号を上記信号線駆動回路へ送信することが好ましい。
【０１２２】
復帰制御信号を受信しても、すぐに受信回路が休止状態から復帰しない可能性が考えられる。上記の構成によれば、受信回路が復帰するまでのタイムラグを考慮して、復帰制御信号を走査期間が開始されるよりも先に送信することで、受信回路が復帰した状態で走査期間の開始を迎えることができる。
【０１２３】
従って、受信回路が完全に復帰しない状態で走査期間が開始されることにより映像の表示に不具合が生じることを防止できる。
【０１２４】
また、上記信号線駆動回路は、
上記画素に上記データ信号を出力する出力回路と、
上記休止駆動制御信号に基づいて、上記出力回路の機能を低下させる出力回路制御部とを備えることが好ましい。
【０１２５】
上記の構成によれば、受信回路に加えて、出力回路の機能を低下させることができ、より低電力化を図ることができる。また、走査期間が開始されるよりも先に、復帰制御信号を上記信号線駆動回路へ送信する前記の構成であれば、上記出力回路の機能を復帰させる時間を十分に確保することができる。
【０１２６】
また、上記信号線駆動回路は、上記休止駆動制御信号に基づいて、上記走査線駆動回路の機能を低下させる走査線駆動回路制御部を備えることが好ましい。
【０１２７】
上記の構成によれば、受信回路に加えて、走査線駆動回路の機能を低下させることができ、より低電力化を図ることができる。
【０１２８】
また、上記受信回路は、機能が低下した休止状態にあるとき、当該受信回路が休止状態から復帰した動作期間に受信する特定信号の受信を開始するタイミングよりも先に、当該受信回路を休止状態から復帰させる復帰制御信号を上記タイミング制御部から受信することが好ましい。
【０１２９】
上記の構成により、休止状態にある受信回路に、復帰制御信号に加えて特定信号が入力されることで当該受信回路に不具合が生じる可能性を低減できる。
【０１３０】
また、上記受信回路は、機能が低下した休止状態にあるとき、当該受信回路を休止状態から復帰させる復帰制御信号を上記タイミング制御部から受信するときに、当該受信回路が休止状態から復帰した動作期間に受信する特定信号をＬｏｗレベル固定として受信することが好ましい。
【０１３１】
Ｌｏｗレベル固定とは、通常の動作状態とは異なり、その信号の電圧レベルが所定電圧以下で固定された状態のことである。差動信号入力の場合は、差動信号が有する２つの信号の電位差が所定のレベル以下に固定された状態である。
【０１３２】
上記の構成により、休止状態にある受信回路に、復帰制御信号に加えて、特定信号が通常の動作状態として入力されることで当該受信回路に不具合が生じる可能性を低減できる。
【０１３３】
また、上記特定信号は、クロック信号または上記データ信号、もしくはその両方であってもよい。
【０１３４】
また、上記受信回路は、機能が低下した休止状態に移行した後の所定の時間内は、クロック信号を継続的に受信することが好ましい。
【０１３５】
上記の構成によれば、信号線駆動回路の内部の回路機能を急に休止させるのではなく、順次機能を休止させることができる。それゆえ、急にクロック信号の送信を停止する場合よりも、休止状態からの復帰時に信号線駆動回路に不具合が生じる可能性を低減できる。
【０１３６】
また、上記受信回路は、機能が低下した休止状態に移行した時点を含む所定の時間内において、Ｌｏｗレベル固定として上記データ信号を受信することが好ましい。
【０１３７】
受信回路が休止状態に移行する時点で、Ｌｏｗレベル固定ではなく通常動作状態のままデータ信号を受信した場合には、当該受信回路が、次回の動作期間において正常に復帰しなくなるなどの不具合が生じる可能性がある。上記の構成により、このような可能性を低減することができる。
【０１３８】
また、上記クロック信号または上記データ信号は、差動信号として上記受信回路に入力されることが好ましい。
【０１３９】
差動信号を用いることにより、シングルエンド信号よりも信号振幅を小さくできるため、データ伝送速度を高速にできる。また、差動信号は、コモン・モード雑音に強いという有利な効果を奏する。
【０１４０】
また、本発明の表示装置は、液晶表示装置であってもよいし、有機エレクトロルミネセンス表示装置であってもよい。
【０１４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４２】
本発明に係る表示装置は、液晶表示装置、有機ＥＬ表示装置、および電子ペーパーなどの各種の表示装置として広く利用できる。
【符号の説明】
【０１４３】
１  表示装置
３  信号線駆動回路
４  走査線駆動回路
７  画素
１０  タイミングコントローラ（タイミング制御部）
３１  映像信号受信回路
３４  出力アンプ回路（出力回路）
３５  休止駆動制御部（出力回路制御部）
３６  休止駆動制御部（走査線駆動回路制御部）
３７  走査線駆動回路制御信号生成部（走査線駆動回路制御部）
１００  表示装置
２００  表示装置
【図１】
2012137761.tif 000003
【図２】
2012137761.tif 000004
【図３】
2012137761.tif 000005
【図４】
2012137761.tif 000006
【図５】
2012137761.tif 000007
【図６】
2012137761.tif 000008
【図７】
2012137761.tif 000009
【図８】
2012137761.tif 000010
【図９】
2012137761.tif 000011
【図１０】
2012137761.tif 000012
【図１１】
2012137761.tif 000013
【国際調査報告】
2012137761.tif 000014
2012137761.tif 000015
2012137761.tif 000016
2012137761.tif 000017